(57)【要約】【課題】１薬剤毎に分割可能であって、分割されたシートの誤飲を効果的に抑制することができるＰＴＰシートを提供する。【解決手段】切り取り可能な複数の分割部１０、２０に区画され各分割部１０・２０が１個の収容ポケット１１、２１を有しているＰＴＰシート１である。各分割部１０、２０は、平面視で多角形状を呈する。各分割部１０、２０の平面視における最大長さＬ１Ａ、Ｌ１Ｂを、特定値以上とする。【選択図】図２
2014080211.tif 000002
【特許請求の範囲】
【請求項１】
切り取り可能な複数の分割部に区画され各分割部が１個の収容ポケットを有しているＰＴＰシートであって、
前記各分割部は、平面視で多角形状を呈し、
前記各分割部の平面視における最大長さは、特定値以上とされてなる、
ＰＴＰシート。
【請求項２】
前記特定値は、３〜５ｃｍの範囲内で設定される、
請求項１に記載のＰＴＰシート。
【請求項３】
切り取り可能な複数の分割部に区画され各分割部が１個の収容ポケットを有している四辺形のＰＴＰシートであって、
前記各分割部の平面形状は、複数の辺を有する形状とされ、前記複数の辺のうち少なくとも一つは、前記シートの一辺の一部を構成する基準辺とされ、
前記各分割部は、前記基準辺の延在方向に対して略直角な方向における長さが、前記基準辺の長さよりも長くされてなる、
ＰＴＰシート。
【請求項４】
前記各分割部の複数の角部のうち少なくとも一つの角部の角度が、鋭角とされてなる、
請求項１から３の何れか一項に記載のＰＴＰシート。
【請求項５】
前記各分割部は、平面視で三角形状を呈するものである、
請求項１から４の何れか一項に記載のＰＴＰシート。
【請求項６】
前記各分割部は、平面視で台形状を呈するものである、
請求項１から４の何れか一項に記載のＰＴＰシート。
【請求項７】
前記各分割部は、平面視で平行四辺形状を呈するものである、
請求項１から４の何れか一項に記載のＰＴＰシート。
【請求項８】
前記各分割部は、平面視で略Ｌ字形状を呈するものである、
請求項１から４の何れか一項に記載のＰＴＰシート。
【請求項９】
前記各分割部の表面には、所定の情報が表示されている、
請求項１から８の何れか一項に記載のＰＴＰシート。
【請求項１０】
少なくとも一つの前記分割部の角部に、丸め処理が施されている、
請求項１から９の何れか一項に記載のＰＴＰシート。
【発明の詳細な説明】
【技術分野】
【０００１】
本発明は、ＰＴＰシートに関する。
【背景技術】
【０００２】
従来より、薬剤の包装技術の一つとして、いわゆるＰＴＰ（Press Through Package）シートが提案され、実用化されている。ＰＴＰシートは、薬剤を収容するためのポケットと、このポケットの開口部を被覆するアルミニウム薄膜と、を有しており、必要に応じてこのポケットを押圧してアルミニウム薄膜を破ることにより、ポケットに収容された薬剤を取り出すことができるようになっている。
【０００３】
現在においては、１個の薬剤を収容するための１個の収容ポケットを有する薬剤包持部（分割部）を、スリットやミシン目等の切取線を介して切り取り可能に複数連接して構成したＰＴＰシートが提案されている。かかるＰＴＰシートを採用すると、１薬剤毎にＰＴＰシートを分割できるため、患者が薬剤を小分けして保管できるという利点がある、とされている。
【０００４】
ところが、１薬剤毎に分割されたＰＴＰシートを、患者が誤って飲み込んでしまうという事故が報告されている。かかる事故を防ぐために、近年においては、例えば、２個の収容ポケットを有する２個組分割部と、３個の収容ポケットを有する３個組分割部と、を備えるＰＴＰシートが提案されている（特許文献１参照）。
【先行技術文献】
【特許文献】
【０００５】
【特許文献１】特開平１０−２７３１６２号公報
【発明の概要】
【発明が解決しようとする課題】
【０００６】
しかし、特許文献１に記載されたＰＴＰシートを採用すると、１回服用量が１薬剤であるにもかかわらず、２個組分割部や３個組分割部に収容された複数の薬剤を１回服用量と誤解してしまうリスクがある。また、多数の薬剤を小分けして保管したいという患者や看護者からの要請は依然として根強いため、特許文献１に記載されたＰＴＰシートを採用しても結局、２個組分割部や３個組分割部を鋏で切断して１薬剤毎に分割することが多く、却って手間がかかってしまう場合があった。さらに、鋏で分割された１薬剤毎のシートを誤飲してしまう可能性もあることから、依然として誤飲を効果的に抑制できていないのが現状である。
【０００７】
本発明は、かかる事情に鑑みてなされたものであり、１薬剤毎に分割可能であって、分割されたシートの誤飲を効果的に抑制することができるＰＴＰシートを提供することを目的とする。
【課題を解決するための手段】
【０００８】
本発明の第一の側面は、切り取り可能な複数の分割部に区画され各分割部が１個の収容ポケットを有しているＰＴＰシートであって、各分割部は、平面視で多角形状（三角形状、台形状、平行四辺形状、略Ｌ字形状等）を呈し、各分割部の平面視における最大長さが特定値以上とされてなるものである。特定値は、例えば３〜５ｃｍの範囲内で適宜設定することができる。
【０００９】
かかる構成を採用すると、平面視で多角形状を呈する各分割部の最大長さ（相互に最も離隔した位置に配置された２つの頂点間の距離）が特定値以上とされているので、その分割部を視認した患者に、分割部の飲み込みを躊躇させることができる。すなわち、分割部の最大長さが、誤飲抑止効果を発揮するものとなる。また、各分割部の最大長さを特定値以上とすることに伴って各分割部の面積が拡大することから、各分割部の表面に種々の情報を表示することが容易となる。
【００１０】
本発明の第二の側面は、切り取り可能な複数の分割部に区画され各分割部が１個の収容ポケットを有しているＰＴＰシートであって、各分割部の平面形状は、複数の辺を有する形状とされ、複数の辺のうち少なくとも一つは、シートの一辺の一部を構成する基準辺とされ、各分割部は、基準辺の延在方向に対して略直角な方向における長さが、基準辺の長さよりも長くされてなるものである。
【００１１】
かかる構成を採用すると、分割部は、所定の基準辺（シートの一辺の一部を構成している辺）を有しており、その基準辺の延在方向に対して略直角な方向における分割部の長さが基準辺の長さよりも長くされている。すなわち、分割部全体が、基準辺の長さよりも、基準辺の延在方向に対して略直角な方向に長くなっているため、その分割部を視認した患者に、分割部の飲み込みを躊躇させることができる。すなわち、分割部全体の形状が、誤飲抑止効果を発揮するものとなる。
【００１２】
本発明に係るＰＴＰシートにおいて、各分割部の複数の角部のうち少なくとも一つの角部の角度を、鋭角とすることが好ましい。
【００１３】
かかる構成を採用すると、各分割部の少なくとも一つの角部の角度が鋭角とされているため、その鋭角の角部を視認した患者に、分割部の飲み込みを躊躇させることができる。すなわち、分割部の鋭角の角部は、誤認抑止効果を発揮するものとなる。
【００１４】
また、本発明に係るＰＴＰシートにおいて、各分割部の表面に所定の情報を表示することもできる。
【００１５】
かかる構成を採用すると、各分割部の表面に所定の情報（例えば、収容ポケットに収容される薬剤の名称、含量、薬効、使用期限等）が表示されているため、患者は、その情報を視認しながら薬剤等を適切に服用することができる。
【００１６】
また、本発明に係るＰＴＰシートにおいて、少なくとも一つの分割部の角部に丸め処理が施すこともできる。
【００１７】
かかる構成を採用すると、少なくとも一つの分割部の角部に丸め処理が施されているので、分割部を患者が誤飲した場合においても、分割部の角部によって消化管の内壁が傷つけられることを抑制することが可能となる。
【発明の効果】
【００１８】
本発明によれば、１薬剤毎に分割可能であって、分割されたシートの誤飲を効果的に抑制することができるＰＴＰシートを提供することが可能となる。
【図面の簡単な説明】
【００１９】
【図１】本発明の第一実施形態に係るＰＴＰシートの平面図である。
【図２】（Ａ）は図１に示すＰＴＰシートの両端分割部の平面図であり、（Ｂ）は図１に示すＰＴＰシートの中間分割部の平面図である。
【図３】（Ａ）は図２（Ａ）に示す両端分割部の鋭角な角部付近の拡大平面図であり、（Ｂ）は図２（Ｂ）に示す中間分割部の鋭角な角部付近の拡大平面図である。
【図４】本発明の第二実施形態に係るＰＴＰシートの平面図である。
【図５】図４に示すＰＴＰシートの分割部の平面図である。
【図６】本発明の第三実施形態に係るＰＴＰシートの平面図である。
【図７】図６に示すＰＴＰシートの分割部の平面図である。
【図８】本発明の第四実施形態に係るＰＴＰシートの平面図である。
【図９】図８に示すＰＴＰシートの分割部の平面図である。
【図１０】本発明の第五実施形態に係るＰＴＰシートの平面図である。
【図１１】図１０に示すＰＴＰシートの分割部の平面図である。
【図１２】本発明の第六実施形態に係るＰＴＰシートの平面図である。
【図１３】図１２に示すＰＴＰシートの分割部の平面図である。
【図１４】本発明の第七実施形態に係るＰＴＰシートの平面図である。
【図１５】図１４に示すＰＴＰシートの分割部の平面図である。
【図１６】本発明の第八実施形態に係るＰＴＰシートの平面図である。
【図１７】図１６に示すＰＴＰシートの分割部の平面図である。
【発明を実施するための形態】
【００２０】
本発明の実施の形態について、図面を参照しつつ説明する。以下の各実施形態は、本発明を説明するための例示であり、本発明をこの実施形態にのみ限定する趣旨ではない。本発明は、その要旨を逸脱しない限り、さまざまな形態で実施することができる。
【００２１】
＜第一実施形態＞
まず、図１〜図３を用いて、本発明の第一実施形態に係るＰＴＰシート１について説明する。
【００２２】
本実施形態に係るＰＴＰシート１は、図１に示すように、全体の平面形状が矩形状を呈しており、スリットやミシン目等からなる切取線３０を介して、切り取り可能な複数の分割部１０、２０に区画されている。各分割部１０、２０の平面視における最大長さは、特定値以上に設定されている。特定値は、３〜５ｃｍの範囲内で適宜設定することができ、本実施形態においては、特定値を「３ｃｍ」に設定している。
【００２３】
各分割部１０、２０の平面形状は、複数の辺を有する形状とされ、複数の辺のうちの一つ（例えば、分割部２０の一辺２０Ａ）は、ＰＴＰシート１の一辺の一部を構成する基準辺とされている。そして、各分割部１０、２０は、基準辺の延在方向に対して略直角な方向における長さ（例えば、図２（Ｂ）に示す長さＬ）が、基準辺の長さよりも長くされている。
【００２４】
各分割部１０、２０は、図１及び図２に示すように、１個の薬剤を収容するための平面視円形状の１個の収容ポケット１１、２１を有している。また、各分割部１０、２０の表面には、所定の情報を表示する情報表示部１２、２２が設けられている。情報表示部１２、２２には、例えば、収容ポケット１１、２１に収容される薬剤の名称、含量、薬効、使用期限等を表示することができる。
【００２５】
ＰＴＰシート１の長さ方向両端部に位置する２個の両端分割部１０は、図２（Ａ）に示すように、一つの鋭角な角部１３と、二つの直角な角部１４と、一つの鈍角な角部１５と、を有し、平面視で台形状を呈している。両端分割部１０の平面視における最大長さ（相互に最も離隔した位置に配置された２つの頂点（鋭角な角部１３と一方の直角な角部１４）間の距離）Ｌ１Ａは、特定値以上に設定されている。両端分割部１０の鋭角な角部１３には、図３（Ａ）に示すように、特定の打ち抜き型を使用することにより丸め処理が施されている。
【００２６】
両端分割部１０に挟まれる８個の中間分割部２０は、図２（Ｂ）に示すように、二つの鋭角な角部２３と、二つの鈍角な角部２４と、を有し、平面視で台形状を呈している。中間分割部２０の平面視における最大長さ（相互に最も離隔した位置に配置された２つの頂点（一方の鋭角な角部２３と一方の鈍角な角部２４）間の距離）Ｌ１Ｂ（＜Ｌ１Ａ）は、特定値以上に設定されている。中間分割部２０の鋭角な角部２３には、図３（Ｂ）に示すように、特定の打ち抜き型を使用することにより丸め処理が施されている。
【００２７】
以上説明した実施形態に係るＰＴＰシート１においては、平面視で台形状を呈する各分割部１０、２０の最大長さ（相互に最も離隔した位置に配置された２つの頂点間の距離）Ｌ１Ａ、Ｌ１Ｂが特定値以上とされているので、分割部１０、２０を視認した患者に、分割部１０、２０の飲み込みを躊躇させることができる。すなわち、分割部１０、２０の最大長さＬ１Ａ、Ｌ１Ｂが、誤飲抑止効果を発揮するものとなる。また、各分割部１０、２０の最大長さＬ１Ａ、Ｌ１Ｂを特定値以上とすることに伴って各分割部１０、２０の面積が拡大することから、各分割部１０、２０の表面に種々の情報を表示することが容易となる。
【００２８】
また、以上説明した実施形態に係るＰＴＰシート１において、分割部１０、２０は、所定の基準辺（ＰＴＰシート１の一辺の一部を構成している辺）を有しており、その基準辺の延在方向に対して略直角な方向における分割部１０、２０の長さが基準辺の長さよりも長くされている。すなわち、分割部１０、２０全体が、基準辺の長さよりも、基準辺の延在方向に対して略直角な方向に長くなっているため、分割部１０、２０を視認した患者に、分割部１０、２０の飲み込みを躊躇させることができる。すなわち、分割部１０、２０全体の形状が、誤飲抑止効果を発揮するものとなる。
【００２９】
また、以上説明した実施形態に係るＰＴＰシート１においては、両端分割部１０の鋭角な角部１３及び中間分割部２０の鋭角な角部２３に丸め処理が施されているので、両端分割部１０及び中間分割部２０を患者が誤飲した場合においても、両端分割部１０の角部１３及び中間分割部２０の角部２３によって消化管の内壁が傷つけられることを抑制することが可能となる。
【００３０】
また、以上説明した実施形態に係るＰＴＰシート１においては、各分割部１０、２０の表面に設けられた情報表示部１２、２２に所定の情報（例えば、収容ポケット１１、２１に収容される薬剤の名称、含量、薬効、使用期限等）が表示されているため、患者は、その情報を視認しながら薬剤等を適切に服用することができる。
【００３１】
＜第二実施形態＞
次に、図４及び図５を用いて、本発明の第二実施形態に係るＰＴＰシート１Ａについて説明する。本実施形態に係るＰＴＰシート１Ａは、第一実施形態に係るＰＴＰシート１の全体の平面形状や分割部の形状を変更したものであり、収容ポケットや情報表示部については実質的に第一実施形態と共通である。このため、異なる構成を中心に説明することとし、共通する構成については詳細な説明を省略することとする。
【００３２】
本実施形態に係るＰＴＰシート１Ａは、図４に示すように、全体の平面形状が平行四辺形状を呈しており、切取線３０Ａを介して、切り取り可能な複数の分割部１０Ａに区画されている。ＰＴＰシート１Ａを構成する１０個の分割部１０Ａの平面形状は、全て同一の台形状を呈している。
【００３３】
各分割部１０Ａは、図４及び図５に示すように、１個の薬剤を収容するための平面視円形状の１個の収容ポケット１１Ａを有しており、各分割部１０Ａの表面には、所定の情報を表示する情報表示部１２Ａが設けられている。また、各分割部１０Ａは、二つの鋭角な角部１３Ａと、二つの鈍角な角部１４Ａと、を有している。各分割部１０Ａの平面視における最大長さ（相互に最も離隔した位置に配置された２つの頂点（一方の鋭角な角部１３Ａと一方の鈍角な角部１４Ａ）間の距離）Ｌ２は、特定値以上に設定されている。
【００３４】
各分割部１０Ａの平面形状は、複数の辺を有する形状とされ、複数の辺のうちの一辺１５Ａは、ＰＴＰシート１Ａの一辺の一部を構成する基準辺とされている。そして、各分割部１０Ａは、基準辺の延在方向に対して略直角な方向における長さが、基準辺の長さよりも長くされている。
【００３５】
以上説明した実施形態に係るＰＴＰシート１Ａにおいては、平面視で台形状を呈する各分割部１０Ａの最大長さ（相互に最も離隔した位置に配置された２つの頂点間の距離）Ｌ２が特定値以上とされているので、分割部１０Ａを視認した患者に、分割部１０Ａの飲み込みを躊躇させることができる。すなわち、分割部１０Ａの最大長さＬ２が、誤飲抑止効果を発揮するものとなる。また、各分割部１０Ａの最大長さＬ２を特定値以上とすることに伴って各分割部１０Ａの面積が拡大することから、各分割部１０Ａの表面に種々の情報を表示することが容易となる。
【００３６】
また、以上説明した実施形態に係るＰＴＰシート１Ａにおいて、分割部１０Ａは、所定の基準辺（ＰＴＰシート１Ａの一辺の一部を構成している辺）を有しており、その基準辺の延在方向に対して略直角な方向における分割部１０Ａの長さが基準辺の長さよりも長くされている。すなわち、分割部１０Ａ全体が、基準辺の長さよりも、基準辺の延在方向に対して略直角な方向に長くなっているため、分割部１０Ａを視認した患者に、分割部１０Ａの飲み込みを躊躇させることができる。すなわち、分割部１０Ａ全体の形状が、誤飲抑止効果を発揮するものとなる。
【００３７】
なお、以上説明した実施形態に係るＰＴＰシート１Ａにおいても、各分割部１０Ａの鋭角な角部１３Ａに丸め処理を施すことが好ましい。このように鋭角な角部１３Ａに丸め処理を施すことにより、各分割部１０Ａを患者が誤飲した場合においても、分割部１０Ａの角部１３Ａによって消化管の内壁が傷つけられることを抑制することが可能となる。
【００３８】
＜第三実施形態＞
次に、図６及び図７を用いて、本発明の第三実施形態に係るＰＴＰシート１Ｂについて説明する。本実施形態に係るＰＴＰシート１Ｂは、第一実施形態に係るＰＴＰシート１の全体の平面形状や分割部の形状を変更したものであり、収容ポケットや情報表示部については実質的に第一実施形態と共通である。このため、異なる構成を中心に説明することとし、共通する構成については詳細な説明を省略することとする。
【００３９】
本実施形態に係るＰＴＰシート１Ｂは、図６に示すように、全体の平面形状が矩形状を呈しており、切取線３０Ｂを介して、切り取り可能な複数の分割部１０Ｂに区画されている。ＰＴＰシート１Ｂを構成する１０個の分割部１０Ｂの平面形状は、全て同一の略Ｌ字形状を呈している。
【００４０】
各分割部１０Ｂは、図６及び図７に示すように、１個の薬剤を収容するための平面視円形状の１個の収容ポケット１１Ｂを有しており、各分割部１０Ｂの表面には、所定の情報を表示する情報表示部１２Ｂが設けられている。また、各分割部１０Ｂは、五つの直角な角部１３Ｂと、一つの鈍角な角部１４Ｂと、を有している。各分割部１０Ｂの平面視における最大長さ（相互に最も離隔した位置に配置された２つの頂点（相互に最も離隔した二つの直角な角部１３Ｂ）間の距離）Ｌ３は、特定値以上に設定されている。
【００４１】
各分割部１０Ｂの平面形状は、複数の辺を有する形状とされ、複数の辺のうちの一辺１５Ｂは、ＰＴＰシート１Ｂの一辺の一部を構成する基準辺とされている。そして、各分割部１０Ｂは、基準辺の延在方向に対して略直角な方向における長さが、基準辺の長さよりも長くされている。
【００４２】
以上説明した実施形態に係るＰＴＰシート１Ｂにおいては、平面視で略Ｌ字形状を呈する各分割部１０Ｂの最大長さ（相互に最も離隔した位置に配置された２つの頂点間の距離）Ｌ３が特定値以上とされているので、分割部１０Ｂを視認した患者に、分割部１０Ｂの飲み込みを躊躇させることができる。すなわち、分割部１０Ｂの最大長さＬ３が、誤飲抑止効果を発揮するものとなる。また、各分割部１０Ｂの最大長さＬ３を特定値以上とすることに伴って各分割部１０Ｂの面積が拡大することから、各分割部１０Ｂの表面に種々の情報を表示することが容易となる。
【００４３】
また、以上説明した実施形態に係るＰＴＰシート１Ｂにおいて、分割部１０Ｂは、所定の基準辺（ＰＴＰシート１Ｂの一辺の一部を構成している辺）を有しており、その基準辺の延在方向に対して略直角な方向における分割部１０Ｂの長さが基準辺の長さよりも長くされている。すなわち、分割部１０Ｂ全体が、基準辺の長さよりも、基準辺の延在方向に対して略直角な方向に長くなっているため、分割部１０Ｂを視認した患者に、分割部１０Ｂの飲み込みを躊躇させることができる。すなわち、分割部１０Ｂ全体の形状が、誤飲抑止効果を発揮するものとなる。
【００４４】
＜第四実施形態＞
次に、図８及び図９を用いて、本発明の第四実施形態に係るＰＴＰシート１Ｃについて説明する。本実施形態に係るＰＴＰシート１Ｃは、第一実施形態に係るＰＴＰシート１の全体の平面形状や分割部の形状を変更したものであり、収容ポケットや情報表示部については実質的に第一実施形態と共通である。このため、異なる構成を中心に説明することとし、共通する構成については詳細な説明を省略することとする。
【００４５】
本実施形態に係るＰＴＰシート１Ｃは、図８に示すように、全体の平面形状が矩形状を呈しており、切取線３０Ｃを介して、切り取り可能な複数の分割部１０Ｃに区画されている。ＰＴＰシート１Ｃを構成する１０個の分割部１０Ｃの平面形状は、全て同一の三角形状を呈している。
【００４６】
各分割部１０Ｃは、図８及び図９に示すように、１個の薬剤を収容するための平面視円形状の１個の収容ポケット１１Ｃを有しており、各分割部１０Ｃの表面には、所定の情報を表示する情報表示部１２Ｃが設けられている。また、各分割部１０Ｃは、二つの鋭角な角部１３Ｃと、一つの直角な角部１４Ｃと、を有している。各分割部１０Ｃの平面視における最大長さ（相互に最も離隔した位置に配置された２つの頂点（二つの鋭角な角部１３Ｃ）間の距離）Ｌ４は、特定値以上に設定されている。
【００４７】
各分割部１０Ｃの平面形状は、複数の辺を有する形状とされ、複数の辺のうちの一辺１５Ｃは、ＰＴＰシート１Ｃの一辺の一部を構成する基準辺とされている。そして、各分割部１０Ｃは、基準辺の延在方向に対して略直角な方向における長さが、基準辺の長さよりも長くされている。
【００４８】
以上説明した実施形態に係るＰＴＰシート１Ｃにおいては、平面視で三角形状を呈する各分割部１０Ｃの最大長さ（相互に最も離隔した位置に配置された２つの頂点間の距離）Ｌ４が特定値以上とされているので、分割部１０Ｃを視認した患者に、分割部１０Ｃの飲み込みを躊躇させることができる。すなわち、分割部１０Ｃの最大長さＬ４が、誤飲抑止効果を発揮するものとなる。また、各分割部１０Ｃの最大長さＬ４を特定値以上とすることに伴って各分割部１０Ｃの面積が拡大することから、各分割部１０Ｃの表面に種々の情報を表示することが容易となる。
【００４９】
また、以上説明した実施形態に係るＰＴＰシート１Ｃにおいて、分割部１０Ｃは、所定の基準辺（ＰＴＰシート１Ｃの一辺の一部を構成している辺）を有しており、その基準辺の延在方向に対して略直角な方向における分割部１０Ｃの長さが基準辺の長さよりも長くされている。すなわち、分割部１０Ｃ全体が、基準辺の長さよりも、基準辺の延在方向に対して略直角な方向に長くなっているため、分割部１０Ｃを視認した患者に、分割部１０Ｃの飲み込みを躊躇させることができる。すなわち、分割部１０Ｃ全体の形状が、誤飲抑止効果を発揮するものとなる。
【００５０】
なお、以上説明した実施形態に係るＰＴＰシート１Ｃにおいても、各分割部１０Ｃの鋭角な角部１３Ｃに丸め処理を施すことが好ましい。このように鋭角な角部１３Ｃに丸め処理を施すことにより、各分割部１０Ｃを患者が誤飲した場合においても、分割部１０Ｃの角部１３Ｃによって消化管の内壁が傷つけられることを抑制することが可能となる。
【００５１】
＜第五実施形態＞
次に、図１０及び図１１を用いて、本発明の第五実施形態に係るＰＴＰシート１Ｄについて説明する。本実施形態に係るＰＴＰシート１Ｄは、第一実施形態に係るＰＴＰシート１の全体の平面形状や分割部の形状を変更したものであり、収容ポケットや情報表示部については実質的に第一実施形態と共通である。このため、異なる構成を中心に説明することとし、共通する構成については詳細な説明を省略することとする。
【００５２】
本実施形態に係るＰＴＰシート１Ｄは、図１０に示すように、全体の平面形状が矩形状を呈しており、切取線３０Ｄを介して、切り取り可能な複数の分割部１０Ｄに区画されている。ＰＴＰシート１Ｄを構成する１０個の分割部１０Ｄの平面形状は、全て同一の台形状を呈している。
【００５３】
各分割部１０Ｄは、図１０及び図１１に示すように、１個の薬剤を収容するための平面視円形状の１個の収容ポケット１１Ｄを有しており、各分割部１０Ｄの表面には、所定の情報を表示する情報表示部１２Ｄが設けられている。また、各分割部１０Ｄは、一つの鋭角な角部１３Ｄと、二つの直角な角部１４Ｄと、一つの鈍角な角部１５Ｄと、を有している。各分割部１０Ｄの平面視における最大長さ（相互に最も離隔した位置に配置された２つの頂点（鋭角な角部１３Ｄと一方の直角な角部１４Ｄ）間の距離）Ｌ５は、特定値以上に設定されている。
【００５４】
各分割部１０Ｄの平面形状は、複数の辺を有する形状とされ、複数の辺のうちの一辺１６Ｄは、ＰＴＰシート１Ｄの一辺の一部を構成する基準辺とされている。そして、各分割部１０Ｄは、基準辺の延在方向に対して略直角な方向における長さが、基準辺の長さよりも長くされている。
【００５５】
以上説明した実施形態に係るＰＴＰシート１Ｄにおいては、平面視で台形状を呈する各分割部１０Ｄの最大長さ（相互に最も離隔した位置に配置された２つの頂点間の距離）Ｌ５が特定値以上とされているので、分割部１０Ｄを視認した患者に、分割部１０Ｄの飲み込みを躊躇させることができる。すなわち、分割部１０Ｄの最大長さＬ５が、誤飲抑止効果を発揮するものとなる。また、各分割部１０Ｄの最大長さＬ５を特定値以上とすることに伴って各分割部１０Ｄの面積が拡大することから、各分割部１０Ｄの表面に種々の情報を表示することが容易となる。
【００５６】
また、以上説明した実施形態に係るＰＴＰシート１Ｄにおいて、分割部１０Ｄは、所定の基準辺（ＰＴＰシート１Ｄの一辺の一部を構成している辺）を有しており、その基準辺の延在方向に対して略直角な方向における分割部１０Ｄの長さが基準辺の長さよりも長くされている。すなわち、分割部１０Ｄ全体が、基準辺の長さよりも、基準辺の延在方向に対して略直角な方向に長くなっているため、分割部１０Ｄを視認した患者に、分割部１０Ｄの飲み込みを躊躇させることができる。すなわち、分割部１０Ｄ全体の形状が、誤飲抑止効果を発揮するものとなる。
【００５７】
なお、以上説明した実施形態に係るＰＴＰシート１Ｄにおいても、各分割部１０Ｄの鋭角な角部１３Ｄに丸め処理を施すことが好ましい。このように鋭角な角部１３Ｄに丸め処理を施すことにより、各分割部１０Ｄを患者が誤飲した場合においても、分割部１０Ｄの角部１３Ｄによって消化管の内壁が傷つけられることを抑制することが可能となる。
【００５８】
＜第六実施形態＞
次に、図１２及び図１３を用いて、本発明の第六実施形態に係るＰＴＰシート１Ｅについて説明する。本実施形態に係るＰＴＰシート１Ｅは、第一実施形態に係るＰＴＰシート１の全体の平面形状や分割部の形状を変更したものであり、収容ポケットや情報表示部については実質的に第一実施形態と共通である。このため、異なる構成を中心に説明することとし、共通する構成については詳細な説明を省略することとする。
【００５９】
本実施形態に係るＰＴＰシート１Ｅは、図１２に示すように、全体の平面形状が矩形状を呈しており、切取線３０Ｅを介して、切り取り可能な複数の分割部１０Ｅに区画されている。ＰＴＰシート１Ｅを構成する１０個の分割部１０Ｅの平面形状は、全て同一の平行四辺形状を呈している。なお、本実施形態に係るＰＴＰシート１Ｅの長さ方向両端部は、平面視三角形状の余剰部４０Ｅとされている。
【００６０】
各分割部１０Ｅは、図１２及び図１３に示すように、１個の薬剤を収容するための平面視円形状の１個の収容ポケット１１Ｅを有しており、各分割部１０Ｅの表面には、所定の情報を表示する情報表示部１２Ｅが設けられている。また、各分割部１０Ｅは、二つの鋭角な角部１３Ｅと、二つの鈍角な角部１４Ｅと、を有している。各分割部１０Ｅの平面視における最大長さ（相互に最も離隔した位置に配置された２つの頂点（二つの鋭角な角部１３Ｅ）間の距離）Ｌ６は、特定値以上に設定されている。
【００６１】
各分割部１０Ｅの平面形状は、複数の辺を有する形状とされ、複数の辺のうちの一辺１５Ｅは、ＰＴＰシート１Ｅの一辺の一部を構成する基準辺とされている。そして、各分割部１０Ｅは、基準辺の延在方向に対して略直角な方向における長さが、基準辺の長さよりも長くされている。
【００６２】
以上説明した実施形態に係るＰＴＰシート１Ｅにおいては、平面視で平行四辺形状を呈する各分割部１０Ｅの最大長さ（相互に最も離隔した位置に配置された２つの頂点間の距離）Ｌ６が特定値以上とされているので、分割部１０Ｅを視認した患者に、分割部１０Ｅの飲み込みを躊躇させることができる。すなわち、分割部１０Ｅの最大長さＬ６が、誤飲抑止効果を発揮するものとなる。また、各分割部１０Ｅの最大長さＬ６を特定値以上とすることに伴って各分割部１０Ｅの面積が拡大することから、各分割部１０Ｅの表面に種々の情報を表示することが容易となる。
【００６３】
また、以上説明した実施形態に係るＰＴＰシート１Ｅにおいて、分割部１０Ｅは、所定の基準辺（ＰＴＰシート１Ｅの一辺の一部を構成している辺）を有しており、その基準辺の延在方向に対して略直角な方向における分割部１０Ｅの長さが基準辺の長さよりも長くされている。すなわち、分割部１０Ｅ全体が、基準辺の長さよりも、基準辺の延在方向に対して略直角な方向に長くなっているため、分割部１０Ｅを視認した患者に、分割部１０Ｅの飲み込みを躊躇させることができる。すなわち、分割部１０Ｅ全体の形状が、誤飲抑止効果を発揮するものとなる。
【００６４】
なお、以上説明した実施形態に係るＰＴＰシート１Ｅにおいても、各分割部１０Ｅの鋭角な角部１３Ｅに丸め処理を施すことが好ましい。このように鋭角な角部１３Ｅに丸め処理を施すことにより、各分割部１０Ｅを患者が誤飲した場合においても、分割部１０Ｅの角部１３Ｅによって消化管の内壁が傷つけられることを抑制することが可能となる。
【００６５】
＜第七実施形態＞
次に、図１４及び図１５を用いて、本発明の第七実施形態に係るＰＴＰシート１Ｆについて説明する。本実施形態に係るＰＴＰシート１Ｆは、第一実施形態に係るＰＴＰシート１の全体の平面形状や分割部の形状を変更したものであり、収容ポケットや情報表示部については実質的に第一実施形態と共通である。このため、異なる構成を中心に説明することとし、共通する構成については詳細な説明を省略することとする。
【００６６】
本実施形態に係るＰＴＰシート１Ｆは、図１４に示すように、全体の平面形状が矩形状を呈しており、切取線３０Ｆを介して、切り取り可能な複数の分割部１０Ｆに区画されている。ＰＴＰシート１Ｆを構成する１０個の分割部１０Ｆの平面形状は、全て同一の台形状を呈している。なお、本実施形態に係るＰＴＰシート１Ｆの長さ方向両端部は、平面視三角形状の余剰部４０Ｆとされている。
【００６７】
各分割部１０Ｆは、図１４及び図１５に示すように、１個の薬剤を収容するための平面視円形状の１個の収容ポケット１１Ｆを有しており、各分割部１０Ｆの表面には、所定の情報を表示する情報表示部１２Ｆが設けられている。また、各分割部１０Ｆは、二つの鋭角な角部１３Ｆと、二つの鈍角な角部１４Ｆと、を有している。各分割部１０Ｆの平面視における最大長さ（相互に最も離隔した位置に配置された２つの頂点（二つの鋭角な角部１３Ｆ）間の距離）Ｌ７は、特定値以上に設定されている。
【００６８】
各分割部１０Ｆの平面形状は、複数の辺を有する形状とされ、複数の辺のうちの一辺１５Ｆは、ＰＴＰシート１Ｆの一辺の一部を構成する基準辺とされている。そして、各分割部１０Ｆは、基準辺の延在方向に対して略直角な方向における長さが、基準辺の長さよりも長くされている。
【００６９】
以上説明した実施形態に係るＰＴＰシート１Ｆにおいては、平面視で台形状を呈する各分割部１０Ｆの最大長さ（相互に最も離隔した位置に配置された２つの頂点間の距離）Ｌ７が特定値以上とされているので、分割部１０Ｆを視認した患者に、分割部１０Ｆの飲み込みを躊躇させることができる。すなわち、分割部１０Ｆの最大長さＬ７が、誤飲抑止効果を発揮するものとなる。また、各分割部１０Ｆの最大長さＬ７を特定値以上とすることに伴って各分割部１０Ｆの面積が拡大することから、各分割部１０Ｆの表面に種々の情報を表示することが容易となる。
【００７０】
また、以上説明した実施形態に係るＰＴＰシート１Ｆにおいて、分割部１０Ｆは、所定の基準辺（ＰＴＰシート１Ｆの一辺の一部を構成している辺）を有しており、その基準辺の延在方向に対して略直角な方向における分割部１０Ｆの長さが基準辺の長さよりも長くされている。すなわち、分割部１０Ｆ全体が、基準辺の長さよりも、基準辺の延在方向に対して略直角な方向に長くなっているため、分割部１０Ｆを視認した患者に、分割部１０Ｆの飲み込みを躊躇させることができる。すなわち、分割部１０Ｆ全体の形状が、誤飲抑止効果を発揮するものとなる。
【００７１】
なお、以上説明した実施形態に係るＰＴＰシート１Ｆにおいても、各分割部１０Ｆの鋭角な角部１３Ｆに丸め処理を施すことが好ましい。このように鋭角な角部１３Ｆに丸め処理を施すことにより、各分割部１０Ｆを患者が誤飲した場合においても、分割部１０Ｆの角部１３Ｆによって消化管の内壁が傷つけられることを抑制することが可能となる。
【００７２】
＜第八実施形態＞
次に、図１６及び図１７を用いて、本発明の第八実施形態に係るＰＴＰシート１Ｇについて説明する。本実施形態に係るＰＴＰシート１Ｇは、第一実施形態に係るＰＴＰシート１の全体の平面形状や分割部の形状を変更したものであり、収容ポケットや情報表示部については実質的に第一実施形態と共通である。このため、異なる構成を中心に説明することとし、共通する構成については詳細な説明を省略することとする。
【００７３】
本実施形態に係るＰＴＰシート１Ｇは、図１６に示すように、全体の平面形状が矩形状を呈しており、切取線３０Ｇを介して、切り取り可能な複数の分割部１０Ｇに区画されている。ＰＴＰシート１Ｇを構成する１０個の分割部１０Ｇの平面形状は、全て同一の三角形状を呈している。なお、本実施形態に係るＰＴＰシート１Ｇの長さ方向両端部は、平面視三角形状の余剰部４０Ｇとされている。
【００７４】
各分割部１０Ｇは、図１６及び図１７に示すように、１個の薬剤を収容するための平面視円形状の１個の収容ポケット１１Ｇを有しており、各分割部１０Ｇの表面には、所定の情報を表示する情報表示部１２Ｇが設けられている。また、各分割部１０Ｇは、二つの鋭角な角部１３Ｇと、一つの鈍角な角部１４Ｇと、を有している。各分割部１０Ｇの平面視における最大長さ（相互に最も離隔した位置に配置された２つの頂点（二つの鋭角な角部１３Ｇ）間の距離）Ｌ８は、特定値以上に設定されている。
【００７５】
各分割部１０Ｇの平面形状は、複数の辺を有する形状とされ、複数の辺のうちの一辺１５Ｇは、ＰＴＰシート１Ｇの一辺の一部を構成する基準辺とされている。そして、各分割部１０Ｇは、基準辺の延在方向に対して略直角な方向における長さが、基準辺の長さよりも長くされている。
【００７６】
以上説明した実施形態に係るＰＴＰシート１Ｇにおいては、平面視で三角形状を呈する各分割部１０Ｇの最大長さ（相互に最も離隔した位置に配置された２つの頂点間の距離）Ｌ８が特定値以上とされているので、分割部１０Ｇを視認した患者に、分割部１０Ｇの飲み込みを躊躇させることができる。すなわち、分割部１０Ｇの最大長さＬ８が、誤飲抑止効果を発揮するものとなる。また、各分割部１０Ｇの最大長さＬ８を特定値以上とすることに伴って各分割部１０Ｇの面積が拡大することから、各分割部１０Ｇの表面に種々の情報を表示することが容易となる。
【００７７】
また、以上説明した実施形態に係るＰＴＰシート１Ｇにおいて、分割部１０Ｇは、所定の基準辺（ＰＴＰシート１Ｇの一辺の一部を構成している辺）を有しており、その基準辺の延在方向に対して略直角な方向における分割部１０Ｇの長さが基準辺の長さよりも長くされている。すなわち、分割部１０Ｇ全体が、基準辺の長さよりも、基準辺の延在方向に対して略直角な方向に長くなっているため、分割部１０Ｇを視認した患者に、分割部１０Ｇの飲み込みを躊躇させることができる。すなわち、分割部１０Ｇ全体の形状が、誤飲抑止効果を発揮するものとなる。
【００７８】
なお、以上説明した実施形態に係るＰＴＰシート１Ｇにおいても、各分割部１０Ｇの鋭角な角部１３Ｇに丸め処理を施すことが好ましい。このように鋭角な角部１３Ｇに丸め処理を施すことにより、各分割部１０Ｇを患者が誤飲した場合においても、分割部１０Ｇの角部１３Ｇによって消化管の内壁が傷つけられることを抑制することが可能となる。
【００７９】
なお、以上の各実施形態においては、一枚のＰＴＰシートに１０個の分割部を設けた例を示したが、一枚のＰＴＰシートに設ける分割部の個数はこれに限られるものではない。また、以上の各実施形態においては、単一平面形状を呈する分割部（例えば平面視台形状の分割部のみ）を一枚のＰＴＰシートに連続的に配置した例を示したが、異なる平面形状を呈する複数の分割部からなる組（例えば平面視台形状の分割部と平面視三角形状の分割部からなる組、平面視三角形状の分割部と平面視平行四辺形状の分割部からなる組、等）を一枚のＰＴＰシートに連続的に配置することもできる。
【００８０】
また、以上の各実施形態においては、分割部の平面形状の例として、台形状、三角形状、平行四辺形状、略Ｌ字形状を挙げたが、分割部の平面形状はこれに限られるものではない。例えば、平面視五角形状や平面視六角形状の分割部を採用することもできる。また、以上の各実施形態においては、分割部に設けられる収容ポケットの平面形状を円形状とした例を示したが、収容ポケットの平面形状はこれに限られるものではない。
【００８１】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【００８２】
１・１Ａ・１Ｂ・１Ｃ・１Ｄ・１Ｅ・１Ｆ・１Ｇ…ＰＴＰシート
１０・１０Ａ・１０Ｂ・１０Ｃ・１０Ｄ・１０Ｅ・１０Ｆ・１０Ｇ・２０…分割部
１１・１１Ａ・１１Ｂ・１１Ｃ・１１Ｄ・１１Ｅ・１１Ｆ・１１Ｇ…収容ポケット
１２・１２Ａ・１２Ｂ・１２Ｃ・１２Ｄ・１２Ｅ・１２Ｆ・１２Ｇ…情報表示部
１３・１３Ａ・１３Ｃ・１３Ｄ・１３Ｅ・１３Ｆ・１３Ｇ・２３…（鋭角な）角部
１６…（断面形状が円弧状の）外縁部
Ｌ１Ａ・Ｌ１Ｂ・Ｌ２・Ｌ３・Ｌ４・Ｌ５・Ｌ６・Ｌ７・Ｌ８…（分割部の）最大長さ
【図１】
2014080211.tif 000003
【図２】
2014080211.tif 000004
【図３】
2014080211.tif 000005
【図４】
2014080211.tif 000006
【図５】
2014080211.tif 000007
【図６】
2014080211.tif 000008
【図７】
2014080211.tif 000009
【図８】
2014080211.tif 000010
【図９】
2014080211.tif 000011
【図１０】
2014080211.tif 000012
【図１１】
2014080211.tif 000013
【図１２】
2014080211.tif 000014
【図１３】
2014080211.tif 000015
【図１４】
2014080211.tif 000016
【図１５】
2014080211.tif 000017
【図１６】
2014080211.tif 000018
【図１７】
2014080211.tif 000019